(57)【特許請求の範囲】
【請求項１】
ハイブリッド自動再送要求（ＨＡＲＱ）タイミングを決定する通信装置であって、
チャネルの送信部分に結合されている送信機と、
前記チャネルの受信部分に結合されている受信機と、
前記送信機および前記受信機に結合されているハイブリッド自動再送要求（ＨＡＲＱ）ロジックと
を備え、
前記ＨＡＲＱロジックは、ＨＡＲＱタイミングに影響を与える複数の要因を考慮した後でＨＡＲＱタイミングを決定し、
前記ＨＡＲＱロジックは、前記ＨＡＲＱタイミングを決定するべく前記ＨＡＲＱタイミングに影響を与える前記複数の要因が含められている汎用フレームを生成し、
前記複数の要因は、フレーム毎のサブフレームの総数を含み、
前記ＨＡＲＱロジックは、確認応答チャネルの均一な分散を維持するために、データバースト送信に用いる先頭サブフレームをパラメータを用いて決定し、
前記パラメータは、前記ＨＡＲＱロジックによりフレーム毎のサブフレームの前記総数に基づいて値が設定される通信装置。
【請求項２】
前記ＨＡＲＱロジックは、前記汎用フレームのダウンリンクゾーンおよびアップリンクゾーンに前記複数の要因を含め、
前記複数の要因には、データバースト送信の可変送信間隔（ＮＴＴＩ）の長さ、受信機処理時間（ＰＲＸ）、送信機処理時間（ＰＴＸ）、および、アドバンスＭＡＰ送信頻度（ＮＡ−ＭＡＰ）が含まれる請求項１に記載の通信装置。
【請求項３】
前記ＨＡＲＱロジックは、送信または再送のレイテンシを低減するように前記ＨＡＲＱタイミングを決定する請求項１に記載の通信装置。
【請求項４】
前記ＨＡＲＱロジックは、ダウンリンクゾーンと、複数の他のアイドル領域と、アップリンクゾーンとを含む周波数分割多重（ＦＤＤ）フレームを生成し、
ＦＤＤダウンリンクＨＡＲＱの場合、前記ダウンリンクゾーンは、ダウンリンクデータバースト送信に用いられるサブフレームを含み、
前記ダウンリンクゾーンは、前記複数の他のアイドル領域のうち第１のダウンリンクアイドル領域と第２のダウンリンクアイドル領域との間に配され、前記他のアイドル領域は、データバーストもしくは確認応答チャネル送信に用いられないサブフレームを含む請求項１に記載の通信装置。
【請求項５】
前記ＦＤＤダウンリンクＨＡＲＱの場合、前記アップリンクゾーンは、アップリンク確認応答チャネル送信に用いられるサブフレームを含み、
前記アップリンクゾーンの長さは、前記ダウンリンクゾーン、前記第１のダウンリンクアイドル領域および前記第２のダウンリンクアイドル領域の長さの合計に等しい請求項４に記載の通信装置。
【請求項６】
ＦＤＤアップリンクＨＡＲＱの場合、前記ダウンリンクゾーンは、ダウンリンク確認応答チャネル送信に用いられるサブフレームを含み、
前記アップリンクゾーンは、アップリンクデータバースト送信に用いられるサブフレームを含む
請求項４に記載の通信装置。
【請求項７】
前記ＨＡＲＱロジックは、ダウンリンクゾーンと、複数の他のアイドル領域と、アップリンクゾーンとを含む時分割多重（ＴＤＤ）フレームを生成し、
ＴＤＤダウンリンクＨＡＲＱの場合、前記ダウンリンクゾーンは、ダウンリンクデータバースト送信に用いられるサブフレームを含み、
前記ダウンリンクゾーンは、前記複数の他のアイドル領域のうち第１のアイドル領域と第２のアイドル領域の間に配され、前記他のアイドル領域は、データバーストもしくは確認応答チャネル送信に用いられないサブフレームを含む請求項1に記載の通信装置。
【請求項８】
前記ＴＤＤダウンリンクＨＡＲＱの場合、前記アップリンクゾーンは、アップリンク確認応答チャネル送信に用いられるサブフレームを含み、
前記アップリンクゾーンは、前記第２のアイドル領域と第３のアイドル領域との間に配されており、
前記ＴＤＤフレーム内のフレーム総数の長さは、前記アップリンクゾーン、前記ダウンリンクゾーン、前記第１のアイドル領域、前記第２のアイドル領域、および、前記第３のアイドル領域の長さの合計に等しい請求項７に記載の通信装置。
【請求項９】
ＴＤＤアップリンクＨＡＲＱの場合、前記ダウンリンクゾーンは、ダウンリンク確認応答チャネル送信に用いられるサブフレームを含み、前記アップリンクゾーンは、アップリンクデータバースト送信に用いられるサブフレームを含む請求項７に記載の通信装置。
【請求項１０】
前記ＨＡＲＱロジックは、前記汎用フレームを用いてリレーリンク用の前記ＨＡＲＱタイミングを決定する請求項1に記載の通信装置。
【請求項１１】
ハイブリッド自動再送要求（ＨＡＲＱ）タイミングを通信装置において決定する方法であって、
ＨＡＲＱタイミングに影響を与える複数の要因を考慮した後で前記ＨＡＲＱタイミングをＨＡＲＱロジックを用いて決定する段階を備え、
前記ＨＡＲＱタイミングは、前記ＨＡＲＱロジックによって生成される汎用フレームを用いて決定され、
前記ＨＡＲＱタイミングに影響を与える前記複数の要因は前記汎用フレームに含められ、
前記複数の要因は、フレーム毎のサブフレームの総数を含み、
前記ＨＡＲＱロジックは、確認応答チャネルの均一な分散を維持するために、データバースト送信に用いる先頭サブフレームをパラメータを用いて決定し、
前記パラメータは、前記ＨＡＲＱロジックによりフレーム毎のサブフレームの前記総数に基づいて値が設定される方法。
【請求項１２】
前記複数の要因をダウンリンクゾーンおよびアップリンクゾーンに含める段階を備え、
前記複数の要因には、データバースト送信の可変送信間隔（ＮＴＴＩ）の長さ、受信機処理時間（ＰＲＸ）、送信機処理時間（ＰＴＸ）、および、アドバンスＭＡＰ送信頻度（ＮＡ−ＭＡＰ）が含まれる請求項１１に記載の方法。
【請求項１３】
確認応答チャネルの均一分布を維持しつつ送信レイテンシを低減する段階を備える
請求項１１に記載の方法。
【請求項１４】
ダウンリンクゾーンと、複数の他のアイドル領域と、アップリンクゾーンとを含む周波数分割多重（ＦＤＤ）フレームを生成する段階をさらに備え、
ＦＤＤダウンリンクＨＡＲＱの場合、前記ダウンリンクゾーンは、ダウンリンクデータバースト送信に用いられるサブフレームを含み、
前記ダウンリンクゾーンは、前記複数の他のアイドル領域のうち第１のダウンリンクアイドル領域と第２のダウンリンクアイドル領域との間に配され、前記他のアイドル領域は、データバーストもしくは確認応答チャネル送信に用いられないサブフレームを含む請求項１１に記載の方法。
【請求項１５】
前記ＦＤＤダウンリンクＨＡＲＱの場合、前記アップリンクゾーンは、アップリンク確認応答チャネル送信に用いられるサブフレームを含み、
前記アップリンクゾーンの長さは、前記ダウンリンクゾーン、前記第１のダウンリンクアイドル領域および前記第２のダウンリンクアイドル領域の長さの合計に等しい請求項１４に記載の方法。
【請求項１６】
ＦＤＤアップリンクＨＡＲＱの場合、前記ダウンリンクゾーンは、ダウンリンク確認応答チャネル送信に用いられるサブフレームを含み、
前記アップリンクゾーンは、アップリンクデータバースト送信に用いられるサブフレームを含む請求項１４に記載の方法。
【請求項１７】
ダウンリンクゾーンと、複数の他のアイドル領域と、アップリンクゾーンとを含む時分割多重（ＴＤＤ）フレームを生成する段階を備え、
ＴＤＤダウンリンクＨＡＲＱの場合、前記ダウンリンクゾーンは、ダウンリンクデータバースト送信に用いられるサブフレームを含み、
前記ダウンリンクゾーンは、前記複数の他のアイドル領域のうち第１のアイドル領域と第２のアイドル領域の間に配され、前記他のアイドル領域は、データバーストもしくは確認応答チャネル送信に用いられないサブフレームを含む請求項１１に記載の方法。
【請求項１８】
前記ＴＤＤダウンリンクＨＡＲＱの場合、前記ダウンリンクゾーンに、アップリンク確認応答チャネル送信に用いられるサブフレームを含める段階を備え、
前記アップリンクゾーンは、前記第２のアイドル領域と第３のアイドル領域との間に配されており、
前記ＴＤＤフレーム内のフレーム総数の長さは、前記アップリンクゾーン、前記ダウンリンクゾーン、前記第１のアイドル領域、前記第２のアイドル領域、および、前記第３のアイドル領域の長さの合計に等しい
請求項１７に記載の方法。
【請求項１９】
ＴＤＤアップリンクＨＡＲＱの場合、前記ダウンリンクゾーンに、ダウンリンク確認応答チャネル送信に用いられるサブフレームを含め、ＴＤＤアップリンクＨＡＲＱの場合、前記アップリンクゾーンに、アップリンクデータバースト送信に用いられるサブフレームを含める段階を備える請求項１７に記載の方法。
【請求項２０】
前記汎用フレームを用いてリレーリンク用に前記ＨＡＲＱタイミングを決定する段階を備える請求項１１に記載の方法。
【発明の詳細な説明】
【背景技術】
【０００１】
ＨＡＲＱは、現在の無線通信規格および無線通信デバイスで広くサポートされている。ＨＡＲＱは、タイミング関係によって、同期型または非同期型に分けられるとしてよい。非同期ＨＡＲＱは、ＨＡＲＱプロセス用の送信（または再送）が任意のタイミングで行われ、ＨＡＲＱプロセス番号を明示的に通知することが必要になる。同期ＨＡＲＱは、既知のタイミングのみで発生するＨＡＲＱプロセスの送信（または再送）を意味する。ＨＡＲＱプロセス番号を明示的に通知することは、プロセス番号がサブフレーム番号から導き出されるので、必要ない。ＨＡＲＱ用のＩＥＥＥ（登録商標）８０２．１６ｅ構成では、ダウンリンクおよびアップリンクが共に非同期ＨＡＲＱを利用する。ＨＡＲＱ用のＩＥＥＥ（登録商標）８０２．１６ｍ構成では、非同期ＨＡＲＱがダウンリンクで用いられ、同期ＨＡＲＱがアップリンクで用いられる。ＨＡＲＱタイミングは、確認応答チャネル（ＡＣＫＣＨ）の均一な分散のレイテンシおよびレベルに関係する。
【図面の簡単な説明】
【０００２】
添付図面では、本明細書で説明する発明を図示しているが、一例に過ぎず限定するものではない。図示を簡略化して分かりやすくするべく、図面に図示する構成要素は必ずしも実寸に即したものではない。例えば、一部の構成要素の寸法は、分かりやすいように、他の構成要素と比較して強調しているとしてもよい。また、適切であると考えられる場合には、対応する構成要素または同様の構成要素を示す際に同じ参照符号を複数の図面にわたって繰り返し用いる。
【図１】一実施形態に係る、ＨＡＲＱタイミングに影響を与えるさまざまな要因を考慮してＨＡＲＱタイミングを決定する１以上の通信装置（ＣＡ）を備える環境１００を示す図である。
【図２】一実施形態に係る、ＨＡＲＱタイミングに影響を与えるさまざまな要因を考慮してＨＡＲＱタイミングを決定する方法をサポートする通信装置（ＣＡ）を示すブロック図である。
【図３】一実施形態に係る、ＨＡＲＱタイミングに影響を与えるさまざまな要因に基づいてＣＡ２００によってＨＡＲＱタイミングを決定するために用いられる方法を示すフローチャートである。
【図４】一実施形態に係る、周波数分割多重（ＦＤＤ）ＨＡＲＱタイミング制御を説明するためのフレーム構造を示す図である。
【図５】一実施形態に係る、時分割多重（ＴＤＤ）ＨＡＲＱタイミング制御を説明するためのフレーム構造を示す図である。
【発明を実施するための形態】
【０００３】
以下に記載する説明では、フレーム毎のサブフレーム数、可変な値である送信間隔（ＴＴＩ）の長さ、リレーゾーン、レガシーＩＥＥＥ（登録商標）８０２．１６ｅゾーン、および、ＡＣＫＣＨの利用可能性等、さまざまな要因に基づいてＨＡＲＱタイミングを決定する通信装置の実施形態を説明する。以下に記載する説明では、送受信機の実施例、リソースのパーティション化あるいは共有化あるいは複製の実施例、システム構成要素の種類および相関関係等、具体的且つ詳細な内容を数多く記載する。これによって、本発明を深く理解していただきたい。しかし、以下に記載する具体的且つ詳細な内容を採用することなく本発明を実施し得ることは当業者には明らかであると認められたい。また、制御構造、ゲートレベル回路および完全なソフトウェア命令列は、本発明をあいまいにすることを避けるべく、詳細な説明を省略している。当業者であれば、本明細書に記載した内容に基づき、過度な実験を必要とすることなく適切な機能を実現可能であろう。
【０００４】
本明細書において「一実施形態」、「ある実施形態」、「実施形態例」という場合、当該実施形態は特定の特徴、構造または特性を含むが、どの実施形態でもその特定の特徴、構造または特性を必ずしも含むものではない。さらに、上記の表現は、必ずしも同じ実施形態を意味しているものではない。さらに、特定の特徴、構造または特性がある実施形態に関連付けて説明されている場合、明示的な言及の有無に関わらず、この特徴、構造または特性を他の実施形態に関連付けて実施することは当業者の想到する範囲内であると考えられる。
【０００５】
一実施形態によると、通信装置または通信局、例えば、移動ノード／移動局（ＭＮ）、基地局（ＢＳ）、または、無線局（ＲＳ）がＨＡＲＱをサポートしているとしてよい。一実施形態によると、ＣＡは、非同期ＨＡＲＱダウンリンク（ＤＬ）および同期ＨＡＲＱアップリンク（ＵＬ）をサポートしているとしてよく、ＢＳも同様に、このような通信方式をサポートしているとしてよい。一実施形態によると、ＣＡは、汎用周波数分割多重（ＦＤＤ）フレームおよび時分割多重（ＴＤＤ）フレームを利用するとしてよい。一実施形態によると、汎用ＦＤＤフレームおよびＴＤＤフレームは、ＨＡＲＱタイミングに影響を与える可能性があるさまざまな要因を考慮してＨＡＲＱタイミングを決定する方式をサポートしているとしてよい。一実施形態によると、ＦＤＤフレームおよびＴＤＤフレームは、ＤＬ／ＵＬ比、フレーム毎のサブフレーム数、可変送信間隔（ＴＴＩ）、リレーゾーン、レガシーＩＥＥＥ（登録商標）８０２．１６ｅゾーン、および、ＡＣＫＣＨの利用可能性を考慮して、ＨＡＲＱタイミングを決定する方式をサポートしているとしてよい。一実施形態によると、ＣＡは、統一ＨＡＲＱタイミングを決定するべく、ＨＡＲＱタイミングに影響を及ぼす複数の要因を含むとしてよい。
【０００６】
図１に、１以上の通信装置がＨＡＲＱタイミングに影響を与えるさまざま要因を考慮してＨＡＲＱタイミングを決定する環境１００の実施形態を示す。一実施形態によると、環境１００は、基地局ＢＳ１２０、無線局ＲＳおよび移動ノードＭＮ１５０等の通信装置を含む対象領域１１０を備えるとしてよい。一実施形態によると、移動ノードＭＮ１５０−Ａは、無線局ＲＳ１４０に結合されているとしてよく、ＲＳ１４０は、ＢＳ１２０に結合されているとしてよい。一実施形態によると、移動ノードＭＮ１５０−Ｂは、ＢＳ１２０に直接結合されているとしてよい。一実施形態によると、ＭＮ１５０は、携帯電話、スマートフォン、携帯情報端末（ＰＤＡ）、モバイルインターネットデバイス（ＭＩＤ）、ラップトップおよびその他の同様のコンピューティングシステムを含むとしてよい。一実施形態によると、ＭＮ１５０は、無線技術、例えば、ユニバーサル移動体通信システム（ＵＭＴＳ）、広帯域符号分割多重アクセス（ＷＣＤＭＡ）、ワールドワイド・インターオペラビリティ・フォー・マイクロウェーブ・アクセス（ＷｉＭＡＸ）およびロング・ターム・エボリューション（ＬＴＥ）をサポートする任意のデバイスを表すとしてよい。
【０００７】
一実施形態によると、ＭＮ１５０は、さまざまな多重アクセス技術を利用するとしてよい。例えば、周波数分割多重（ＦＤＭ）、時分割多重（ＴＤＭ）、符号分割多重（ＣＤＭ）、直行周波数分割多重（ＯＦＤＭ）、および、シングルキャリア周波数分割多重（ＳＣ−ＦＤＭ）等を利用するとしてよい。一実施形態によると、ＭＮ１５０−Ａは、無線インターフェースを用いて無線局ＲＳ１４０を介してＢＳ１２０に結合されているとしてよく、ＭＮ１５０−Ｂは、無線インターフェースを介してＢＳ１２０に結合されているとしてよい。一実施形態によると、通信装置であるＭＮ１５０、ＲＳ１４０およびＢＳ１２０は、汎用ＦＤＤフレーム構造およびＴＤＤフレーム構造をサポートしているとしてよい。汎用ＦＤＤフレーム構造およびＴＤＤフレーム構造は、ＨＡＲＱタイミングに影響を与えるさまざまな要因を考慮して生成されるとしてよい。
【０００８】
図２は、汎用ＦＤＤフレームおよびＴＤＤフレームを生成およびサポートして、ＨＡＲＱタイミングに影響を与えるさまざまな要因を考慮してＨＡＲＱタイミングを決定するＣＡ２００の実施形態を示す図である。一実施形態によると、ＣＡ２００は、インターフェース２０１、コントローラ２０５、ＨＡＲＱロジック２０９、１以上の送受信機２１０−Ａから２１０−Ｎ、スイッチ２３０、および、一のアンテナ２９０を備えるとしてよい。しかし、ＣＡ２００は、他の実施形態では、一の送受信機、複数のアンテナ、および、同様に変形した他の構成要素を備えるとしてもよい。一実施形態によると、ＣＡ２００は、コンピュータプラットフォーム、ラップトップコンピュータ、モバイルインターネットデバイス、手持ち機器、スマートフォンおよびテレビ等の他の場合には、ネットワークインターフェースカードの一部分としてプロビジョニングされるとしてよい。
【０００９】
一実施形態によると、インターフェース２０１は、環境１００において、ＣＡ２００を１以上の他のＣＡに結合するとしてよい。一実施形態によると、インターフェース２０１は、ＣＡ２００と、ＣＡ２００内の他のブロックと、ＣＡ２００に結合されている他のＣＡとの間において、物理インターフェース、電気インターフェースおよびプロトコルインターフェースとして機能するとしてよい。一実施形態によると、コントローラ２０５は、送受信機２１０が選択した変調技術および復調技術を制御するとしてよい。一実施形態によると、コントローラ２０５は、送信速度、ビットエラーレート、および、その他の同様のパラメータ等の通信パラメータを制御するとしてよい。
【００１０】
一実施形態によると、送受信機２１０−Ａは、送信機２５０および受信機２７０を有するとしてよい。一実施形態によると、送受信機２１０−Ｂから２１０Ｎはそれぞれ、送受信機２１０−Ａの送信機２５０および受信機２７０と同様の送信機および受信機を含むとしてよい。一実施形態によると、送受信機２１０−Ａから２１０−Ｎの受信機２７０等の受信機は、アンテナ２９０から信号を受信する間、スイッチ２３０を介してアンテナ２９０から信号を受信するとしてよい。一実施形態によると、送受信機２１０の送信機２５０等の送信機は、信号を送信している間、スイッチ２３０を介してアンテナ２９０へと無線信号を供給するとしてよい。
【００１１】
一実施形態によると、送信機２５０は、送信すべき信号を、コントローラ２０５から、または、コントローラ２０５の制御下で直接インターフェース２０１から受信するとしてよい。一実施形態によると、送信機２５０は、位相変調技術、振幅変調技術または周波数変調技術等の技術を利用して信号を変調するとしてよい。一実施形態によると、送信機２５０はこの後、スイッチ２３０を介してアンテナ２９０へと信号を送信するとしてよい。一実施形態によると、受信機２７０は、アンテナ２９０から電気信号を受信して、当該信号を復調した後、復調した信号をコントローラ２０５へ、または、直接インターフェース２０１へと供給するとしてよい。
【００１２】
一実施形態によると、スイッチ２３０は、例えば、タイムシェアリング方式で、複数の送信機２１０のうち一の送信機を、アンテナ２９０に結合するとしてよい。一実施形態によると、スイッチ２３０は、コントローラ２０５の選択制御信号等のイベントに応じて、一の特定の送受信機２１０を、アンテナ２９０に結合するとしてよい。他の実施形態によると、スイッチ２３０は、適切な送信機２１０をアンテナ２９０に結合する知能を備えているとしてよい。一実施形態によると、スイッチ２３０は、送信機２５０において他のシステム内の受信機に対して信号を送信する準備が整っている間、アンテナ２９０を送信機２５０に結合するとしてよい。一実施形態によると、スイッチ２３０は、アンテナ２９０が受信機２７０に供給すべき信号を生成している間、アンテナ２９０を受信機２７０に結合するとしてよい。一実施形態によると、アンテナ２９０は、スイッチ２３０に結合されているとしてよい。
【００１３】
一実施形態によると、ＨＡＲＱロジック２０９は、汎用ＦＤＤフレームおよびＴＤＤフレームの少なくとも一部分を生成するとしてよい。一実施形態によると、ＨＡＲＱロジック２０９は、統一ＨＡＲＱタイミングを決定するべく、ＨＡＲＱタイミングに影響を与える複数の要因を、ＦＤＤフレームおよびＴＤＤフレームに含めるとしてよい。一実施形態によると、ＨＡＲＱロジック２０９は、汎用ＦＤＤフレームおよびＴＤＤフレームを用いて、ＨＡＲＱタイミングに影響を与える複数の要因を考慮してＨＡＲＱタイミングを決定するとしてよい。一実施形態によると、ＦＤＤフレームおよびＴＤＤフレームは、ＤＬ／ＵＬ比、フレーム毎のサブフレーム数、可変送信間隔（ＴＴＩ）、リレーゾーン、レガシーＩＥＥＥ（登録商標）８０２．１６ｅゾーン、および、ＡＣＫＣＨの利用可能性を考慮してＨＡＲＱタイミングを決定することをサポートしているとしてよい。
【００１４】
一実施形態によると、ＨＡＲＱロジック２０９は、ＦＤＤフレームおよびＴＤＤフレームにフィールドを挿入するとしてよい。挿入されたフィールドは、ＨＡＲＱタイミングを決定するために用いられるとしてよい。一実施形態によると、ＨＡＲＱロジック２０９は、ＩＥＥＥ（登録商標）８０２．１６ｍのＤＬバースト送信用のＦＤＤ  ＤＬ  ＨＡＲＱフレームのダウンリンク（ＤＬ）ゾーン（サブフレーム）を利用するとしてよく、ＦＤＤ  ＤＬ  ＨＡＲＱフレーム内の他のサブフレームをＤＬアイドル領域と分類するとしてよい。一実施形態によると、ＨＡＲＱロジック２０９は、ＦＤＤ  ＤＬ  ＨＡＲＱフレームのアップリンク（ＵＬ）ゾーン（サブフレーム）を利用して、ＩＥＥＥ（登録商標）８０２．１６ｍ  ＵＬ  ＡＣＫＣＨ送信に用いられるサブフレームを含めるとしてよい。
【００１５】
一実施形態によると、ＨＡＲＱロジック２０９は、ＩＥＥＥ（登録商標）８０２．１６ｍのＤＬバースト送信用のＴＤＤ  ＤＬ  ＨＡＲＱフレームのダウンリンク（ＤＬ）ゾーン（サブフレーム）を利用するとしてよい。一実施形態によると、ＨＡＲＱロジック２０９は、ＴＤＤ  ＤＬ  ＨＡＲＱフレームのアップリンク（ＵＬ）ゾーン（サブフレーム）を利用するとしてよく、ＩＥＥＥ（登録商標）８０２．１６ｍ  ＵＬ  ＡＣＫＣＨ送信に用いられるサブフレームを含めるとしてよい。一実施形態によると、ＦＤＤ  ＨＡＲＱ  ＤＬフレームでは、ＤＬゾーンおよびＵＬゾーンが共に、例えば、ＢＳ１２０とＭＳ１５０との間、および／または、ＢＳ１２０とＲＳ１４０との間の同様の送信に対応付けられているとしてよい。一実施形態によると、ＴＤＤ  ＤＬ  ＨＡＲＱフレーム内の他のサブフレームは、アイドル領域として分類されるとしてよい。
【００１６】
一実施形態によると、ＨＡＲＱロジック２０９は、ＨＡＲＱタイミングを決定するために以下で説明する数式（１）から（１４）で表される計算のうち１以上を実行するとしてよい。一実施形態によると、ＨＡＲＱロジック２０９は、通信装置２００においてプロビジョニングされるとしてよく、ＣＡ２００に、アップリンクおよびダウンリンクの両方におけるＨＡＲＱタイミングを、後述するようなフレーム４００および５００等のＦＤＤフレームおよびＴＤＤフレームを用いて決定させるとしてよい。一実施形態によると、ＨＡＲＱロジック２０９は、ハードウェア、ソフトウェア、ファームウェアまたはこれらの組み合わせで実現されるとしてよい。
【００１７】
図３は、ＨＡＲＱタイミングに影響を与えるさまざまな要因に基づいてＨＡＲＱタイミングを決定するためのＣＡ２００の動作を図示するフローチャート３００を図示している。ブロック３１０において、ＨＡＲＱロジック２０９は、ＨＡＲＱタイミングに影響を与える複数の要因を特定するとしてよい。一実施形態によると、複数の要因には、ＤＬ／ＵＬ比、フレーム毎のサブフレーム数、可変送信間隔（ＴＴＩ）、リレーゾーン、レガシーＩＥＥＥ（登録商標）８０２．１６ｅゾーン、および、ＡＣＫＣＨの利用可能性が含まれるとしてよい。
【００１８】
一実施形態によると、複数の要因として以下のものが挙げられるとしてよい。
１）フレーム毎のサブフレーム数：システム帯域幅が５／１０／２０ＭＨｚの場合、各フレームが含むサブフレームは８つであるとしてよい。システム帯域幅が７ＭＨｚの場合、各フレームが含むサブフレームは６つであるとしてよい。８ＭＨｚのシステム帯域幅の場合、各フレームが含むサブフレームは７つであるとしてよい。
２）可変ＴＴＩ長：ＴＴＩは、複数のサブフレームを含むとしてよい。
３）レガシーＩＥＥＥ８０２．１６ｅゾーン：レガシーゾーンと組み合わせる場合、ＩＥＥＥ（登録商標）８０２．１６ｍに応じた送信に利用可能なＤＬ／ＵＬサブフレームは、異なるとしてよい。
４）リレーゾーン：ＨＡＲＱタイミングはＣＡ毎に定義されているとしてよい。
５）ＡＣＫＣＨの利用可能性：ｎ＝２が設定されているＡ−ＭＡＰの場合、一部のＤＬサブフレームは、Ａ−ＭＡＰを含んでおらず、ＤＬ  ＡＣＫＣＨは、送信されないとしてよい。
【００１９】
ブロック３５０では、ＨＡＲＱロジック２０９は、１以上の汎用フレーム構造を少なくとも部分的に生成するとしてよい。汎用フレーム構造は、ＨＡＲＱタイミングに影響を与える複数の要因を含むとしてよい。一実施形態によると、汎用ＦＤＤフレーム構造およびＴＤＤフレーム構造は、図４および図５に示す通りであるとしてよい。
【００２０】
ブロック３９０において、ＨＡＲＱロジック２０９は、汎用フレーム構造を用いてＨＡＲＱタイミングを決定するとしてよい。一実施形態によると、ＨＡＲＱロジック２０９が汎用フレーム構造ＦＤＤ４００およびＴＤＤ５００を用いてＨＡＲＱタイミングを決定する方法を以下で説明する。
【００２１】
汎用ＦＤＤフレーム構造４００の実施形態を図４に図示する。一実施形態によると、構造４００は、スーパーフレームＳＦ４０１−Ａから４０１−Ｋを含むとしてよい。一実施形態によると、各スーパーフレーム４０１は、１以上のフレーム４０２を含むとしてよく、一実施形態では、スーパーフレーム４０１−Ａがｍ個のフレーム４０２−Ａから４０２−ｍを含むとしてよく、次のフレーム４０１−Ｂの第１のフレームは、先頭のインデックスが（ｍ＋１）であるとしてよい。一実施形態によると、フレーム４０２−Ａは、ダウンリンク（ＤＬ）サブフレームＤＬ４１０およびアップリンク（ＵＬ）サブフレームＵＬ４６０を含むとしてよい。一実施形態によると、ＤＬサブフレーム４１０およびＵＬサブフレームＦ４３０は、ｎ個（ｎ＝０からｎ）のサブフレームを含むとしてよい。一実施形態によると、ＤＬサブフレーム４１０は、第１のＤＬアイドル領域Ｎｄｇ４４１、第２のＤＬアイドル領域４４２、および、２つのＤＬアイドル領域４４１および４４２の間に配置されているＤＬゾーン（Ｎｄ）４４５を含むとしてよい。一実施形態によると、ＵＬサブフレーム４６０は、ＵＬゾーン（Ｎｕ）４６５を含むとしてよい。
【００２２】
一実施形態によると、以下の表記方法を用いるとしてよい。
ｘの床関数（Ｆｌｏｏｒ＜ｘ＞）：Ｘの床関数、つまり、Ｘ以下の最大の整数（例えば、Ｘ＝３．２１であれば、Ｆｌｏｏｒ＜ｘ＞＝３．００である。
ｘの天井関数（Ｃｅｉｌ＜ｘ＞）：Ｘの天井関数、つまり、Ｘ以上の最小の整数（例えば、Ｘ＝３．２１であれば、Ｃｅｉｌ＜ｘ＞＝４．００）である。
Ｐａｉｒ（ｍＴＸ，ｎＴＸ）：データバースト送信またはデータバースト再送の先頭サブフレーム位置
Ｐａｉｒ（ｍＡＣＫ，ｎＡＣＫ）：データバースト送信またはデータバースト再送（ｍＴＸ，ｎＴＸ）に対応付けられているＡＣＫＣＨのサブフレーム位置
Ｐａｉｒ（ｍＲＥＴＸ，ｎＲＥＴＸ）：データバースト送信またはデータバースト再送（ｍＴＸ，ｎＴＸ）サブフレーム数であらわす受信機の処理時間、ＰＲＸ用の好ましい値は３であるが、ＰＲＸは他の値を取るとしてよい。）に対応付けられているデータバースト再送の先頭サブフレーム位置
Ｐａｉｒ（ｍＡ−ＭＡＰ，ｎＡ−ＭＡＰ）：データバースト送信またはデータバースト再送（ｍＴＸ，ｎＴＸ）をスケジューリングするＡ−ＭＡＰのサブフレーム位置
ΔｍＴＸ−ＡＭＰＡ＝ｍＴＸ−ｍＡ−ＭＡＰ、ΔｍＡＣＫ−ＴＸ＝ｍＡＣＫ−ｍＴＸ、ΔｍＲＥＴＸ−ＡＣＫ＝ｍＲＥＴＸ−ｍＡＣＫ
Ｎｓｆ：フレーム毎のサブフレーム総数
ＮＴＴＩ：サブフレーム数で表現するデータバースト送信（または再送）のＴＴＩ長
ＰＲＸ：サブフレーム数で表す受信機の処理時間、ＰＲＸ用の好ましい値は３であるが、ＰＲＸは他の値を取るとしてよい。
ＰＴＸ：サブフレーム数で表す送信機の処理時間、ＰＴＸ用の好ましい値は２であるが、ＰＴＸは他の値を取るとしてよい。
ＮＡ−ＭＡＰ：Ａ−ＭＡＰ送信頻度。Ａ−ＭＡＰ領域同士は、その間にＮＡ−ＭＡＰ個のサブフレームが配されている。あるＡ−ＭＡＰ領域がサブフレーム「ｎ」に割り当てられている場合、次のＡ−ＭＡＰ領域が、同じサブフレーム「ｎ」のサブフレーム（ｎ＋ＮＡ−ＭＡＰ）に配されている。ＮＡ−ＭＡＰの値は、１または２に等しいとしてよい。
【００２３】
一実施形態によると、符号Ｎｓｆ、ＮＴＴＩ、ＰＲＸ、ＰＴＸおよびＮＡ−ＭＡＰは、ＨＡＲＱタイミングを決定する際に用いられるとしてよい。適切な数字を符号Ｎｓｆ、ＮＴＴＩ、ＰＲＸ、ＰＴＸおよびＮＡ−ＭＡＰに代入するとしてよい。
【００２４】
一実施形態によると、図４のＦＤＤフレーム構造は、ＨＡＲＱタイミングを決定するために用いられるとしてよく、ＤＬゾーン４４５は、Ｎｄ個のサブフレームを含む一方、ＵＬゾーン４６５はＮｕ＝Ｎｓｆ個のサブフレームを含むとしてよい。一実施形態によると、ＵＬ４１０は、ＤＬアイドル領域４４１および４４２を含むとしてよく、両領域４４１および４４２の長さはそれぞれ、Ｎｄｇ１およびＮｄｇ２である。一実施形態によると、ＵＬゾーン４６５の長さは、Ｎｓｆ＝（Ｎｄｇ１＋Ｎｄ＋Ｎｄｇ２）に等しいとしてよい。しかし、Ｎｄｇ１およびＮｄｇ２は、ゼロに等しいとしてもよい。例えば、Ｎｄｇ２＝０であれば、ＨＡＲＱタイミングの式にはＮｄｇ２の項が含まれないとしてよい。
【００２５】
ＦＤＤ  ＤＬ  ＨＡＲＱの場合、図４のＤＬゾーン４４５は、ＩＥＥＥ（登録商標）８０２．１６ｍ  ＤＬデータバースト送信に用いられるサブフレームを含み、フレーム４０２−Ａ内の他のサブフレームは、ＤＬアイドル領域に分類されるとしてよい。また、ＦＤＤ  ＤＬ  ＨＡＲＱの場合、図４のＵＬゾーン４６５は、ＩＥＥＥ（登録商標）８０２．１６ｍ  ＵＬ  ＡＣＫＣＨ送信に用いられるサブフレームを含むとしてよい。
【００２６】
Ａ−ＭＡＰでのＤＬ割り当てとＤＬデータバースト送信との間のタイミング関係
ｎＡ−ＭＡＰ＝１の場合、サブフレーム（ｍＡ−ＭＡＰ，ｎＡ−ＭＡＰ）内のＤＬ割り当てＡ−ＭＡＰ情報要素（ＩＥ）に対応するＤＬデータバースト送信は、サブフレーム（ｍＡ−ＭＡＰ，ｎＡ−ＭＡＰ）を先頭とするとしてよい（つまり、ｍＴＸ＝ｍＡ−ＭＡＰおよびｎＴＸ＝ｎＡ−ＭＡＰ）。
ｎＡ−ＭＡＰ＝２の場合、ビット「ｉ」は、サブフレーム（ｍＡ−ＭＡＰ，ｎＡ−ＭＡＰ）内のＤＬ割り当てＡ−ＭＡＰ情報要素（ＩＥ）においてｉ∈｛０，１｝となるように存在し、対応するＤＬデータバースト送信は、サブフレーム（ｍＡ−ＭＡＰ，ｎＡ−ＭＡＰ＋「ｉ」）を先頭とするとしてよい（つまり、ｍＴＸ＝ｍＡ−ＭＡＰおよびｎＴＸ＝ｎＡ−ＭＡＰ＋「ｉ」）。Ｎｄが奇数であり、ｎＡ−ＭＡＰ＝Ｎｄｇ１＋Ｎｄ−１の場合、「ｉ」は０であるとしてよい。
【００２７】
ＤＬデータバースト送信とＡＣＫＣＨとの間のタイミング関係
先頭サブフレームがサブフレーム（ｍＴＸ，ｎＴＸ）で送信されるＤＬデータバーストの場合、ＡＣＫＣＨは、サブフレーム（ｍＡＣＫ，ｎＡＣＫ）で送信されるとしてよい。（ｍＡＣＫ，ｎＡＣＫ）を算出するべく、ＨＡＲＱロジック２０９は、以下の数式（１）を利用するとしてよい。
【数１】
0005596170.tif 000002
【００２８】
ＤＬデータバースト再送とＡＣＫＣＨとの間のタイミング関係
先頭サブフレームがサブフレーム（ｍＴＸ，ｎＴＸ）で送信されるＤＬデータバーストの場合、ＤＬデータバースト再送の先頭サブフレーム位置は、サブフレーム（ｍＲＥＴＸ，ｎＲＥＴＸ）であってよい。一実施形態によると、ＨＡＲＱロジック２０９はダウンリンクについて非同期ＨＡＲＱを利用するので、再送のタイミングは、例えば、移動ノード１５０−Ａに情報を送信している間に、ＢＳ１２０等の基地局によって制御されるとしてよい。
【００２９】
一実施形態によると、ＨＡＲＱロジック２０９は、以下に示す数式（２）を用いて、最少Ｔｘ処理時間を実現し、且つ、送信および再送について先頭サブフレーム位置を同一にするための基準タイミングを決定するとしてよい。
【数２】
0005596170.tif 000003
【００３０】
ＦＤＤ  ＵＬ  ＨＡＲＱの場合、図４のＤＬゾーン４４５は、ＩＥＥＥ（登録商標）８０２．１６ｍ  ＤＬ  ＡＣＫＣＨ送信に用いられるサブフレームを含むとしてよい。フレーム４０２−Ａ内の他のサブフレームは、ＤＬアイドル領域に分類されるとしてよい。また、ＦＤＤ  ＵＬ  ＨＡＲＱの場合、図４のＵＬゾーン４６５は、ＩＥＥＥ（登録商標）８０２．１６ｍ  ＵＬデータバースト送信に用いられるサブフレームを含むとしてよい。
【００３１】
Ａ−ＭＡＰにおけるＤＬ割り当てとＵＬデータバースト送信との間のタイミング関係
一実施形態によると、サブフレーム（ｍＡ−ＭＡＰ，ｎＡ−ＭＡＰ）におけるＵＬ割り当てＡ−ＭＡＰ  ＩＥに対応するＵＬデータバースト送信の場合、サブフレーム（ｍＴｘ，ｎＴｘ）を先頭とするとしてよい。一実施形態によると、ＨＡＲＱロジック２０９は、以下の数式（３）を用いて先頭フレームｎＴｘを決定するとしてよい。
【数３】
0005596170.tif 000004
【００３２】
Ｎｄ＝Ｎｓｆの場合、パラメータ「ｉ」は０であるとしてよい。Ｎｄ≠Ｎｓｆの場合、ＨＡＲＱロジック２０９はＡ−ＭＡＰを用いて「ｉ」を通知するとしてよい。
【００３３】
ＵＬデータバースト送信とＡＣＫＣＨとの間のタイミング関係
先頭サブフレームがサブフレーム（ｍＴＸ，ｎＴＸ）で送信されるＵＬデータバーストの場合、ＡＣＫＣＨは、サブフレーム（ｍＡＣＫ，ｎＡＣＫ）で送信されるとしてよい。（ｍＡＣＫ，ｎＡＣＫ）を算出するべく、ＨＡＲＱロジック２０９は、以下に示す数式（４）を利用するとしてよい。
【数４】
0005596170.tif 000005
【００３４】
ＵＬデータバースト再送とＡＣＫＣＨとの間のタイミング関係
先頭サブフレームがサブフレーム（ｍＴＸ，ｎＴＸ）で送信されるＵＬデータバーストの場合、ＵＬデータバースト再送の先頭サブフレーム位置は、サブフレーム（ｍＲＥＴＸ，ｎＲＥＴＸ）であってよい。一実施形態によると、ＨＡＲＱロジック２０９がＵＬデータバースト再送の先頭サブフレーム位置（ｍＲＥＴＸ，ｎＲＥＴＸ）を決定するために上記の数式（２）を用いる。
【００３５】
汎用ＴＤＤフレーム構造５００の実施形態を図５に示す。一実施形態によると、ＴＤＤフレーム構造５００は、スーパーフレーム５０１−Ａから５０１−Ｋを含むとしてよい。一実施形態によると、各スーパーフレーム５０１は、１以上のフレーム５０２を含むとしてよく、一実施形態によると、スーパーフレーム５０１−Ａはｍ個のフレーム５０２−Ａから４０２−ｍを含むとしてよく、次のフレーム５０１−Ｂの最初のフレームの先頭インデックスは（ｍ＋１）であるとしてよい。一実施形態によると、フレーム５０２−Ａは、ｎ個のダウンリンク（ＤＬ）サブフレームおよびアップリンクサブフレームを含むとしてよい。一実施形態によると、ＤＬサブフレームおよびＵＬサブフレームは、ｎ個（ｎ＝０からｎ）のサブフレームを含むとしてよい。一実施形態によると、ＤＬサブフレームおよびＵＬサブフレームは、第１のアイドル領域５５１、第２のアイドル領域５５２、および、第３のアイドル領域５５３を含むとしてよい。一実施形態によると、アイドル領域５５１、５５２および５５３の長さはそれぞれ、Ｎｇ１、Ｎｇ２およびＮｇ３であってよい。一実施形態によると、長さがＮｄのＤＬゾーン５５５が、第１のアイドル領域５５１と第２のアイドル領域５５２との間に配されているとしてよい。一実施形態によると、長さがＮｕのＵＬゾーン５６５が、第２のアイドル領域５５２と第３のアイドル領域５５３との間に配されているとしてよい。他の実施形態によると、Ｎｄは、ＤＬサブフレームの数を表しているとしてよく、各サブフレームの長さはＬ１である。Ｎｕは、ＵＬサブフレームの数を表しているとしてよく、各サブフレームは長さがＬ２である。一実施形態によると、サブフレーム５０２−Ａの長さは、Ｎｓｆ＝（Ｎｇ１＋Ｎｄ＋Ｎｇ２＋Ｎｕ＋Ｎｇ３）に等しいとしてよい。しかし、Ｎｇ１、Ｎｇ２、およびＮｇ３は、ゼロに等しい。例えば、Ｎｇ３＝０である場合、ＨＡＲＱタイミングの式ではＮｇ３の項が存在しないとしてよい。
【００３６】
ＴＤＤ  ＤＬ  ＨＡＲＱの場合、図５のＤＬゾーン５５５は、ＩＥＥＥ（登録商標）８０２．１６ｍ  ＤＬデータバースト送信に用いられるサブフレームを含むとしてよい。一実施形態によると、図５のＵＬゾーン５６５は、ＩＥＥＥ（登録商標）８０２．１６ｍ  ＵＬ  ＡＣＫＣＨ送信に用いられるサブフレームを含むとしてよい。一実施形態によると、フレーム５０２−Ａ内の他のサブフレームは、アイドル領域に分類されるとしてよい。
【００３７】
Ａ−ＭＡＰにおけるＤＬ割り当てとＤＬデータバースト送信との間のタイミング関係
ｎＡ−ＭＡＰ＝１の場合、サブフレーム（ｍＡ−ＭＡＰ，ｎＡ−ＭＡＰ）におけるＤＬ割り当てＡ−ＭＡＰ情報要素（ＩＥ）に対応するＤＬデータバースト送信は、サブフレーム（ｍＡ−ＭＡＰ，ｎＡ−ＭＡＰ）を先頭とするとしてよい（つまり、ｍＴＸ＝ＭＡ−ＭＡＰ，ｎＴＸ＝ｎＡ−ＭＡＰ）。
【００３８】
ｎＡ−ＭＡＰ＝２の場合、ビット「ｉ」は、サブフレーム（ｍＡ−ＭＡＰ，ｎＡ−ＭＡＰ）内のＤＬ割り当てＡ−ＭＡＰ  ＩＥにおいてｉ∈｛０，１｝となるように存在し、対応するＤＬデータバースト送信は、サブフレーム（ｍＡ−ＭＡＰ，ｎＡ−ＭＡＰ＋「ｉ」）を先頭とするとしてよい（つまり、ｍＴＸ＝ｍＡ−ＭＡＰおよびｎＴＸ＝ｎＡ−ＭＡＰ＋「ｉ」）。Ｎｄが奇数であり、ｎＡ−ＭＡＰ＝Ｎｇ１＋Ｎｄ−１の場合、「ｉ」は０であるとしてよい。
【００３９】
ＤＬデータバースト送信とＡＣＫＣＨとの間のタイミング関係
先頭サブフレームがサブフレーム（ｍＴＸ，ｎＴＸ）で送信されるＤＬデータバーストの場合、ＡＣＫＣＨは、サブフレーム（ｍＡＣＫ，ｎＡＣＫ）で送信されるとしてよい。（ｍＡＣＫ，ｎＡＣＫ）を算出するべく、ＨＡＲＱロジック２０９は、以下に示す数式（５）、（６）および（７）のうちいずれか１つを利用するとしてよい。
【００４０】
一実施形態によると、ＨＡＲＱロジック２０９は、ＡＣＫＣＨレイテンシを最低限に抑えつつ、以下の数式（５）を用いてＨＡＲＱタイミングを決定するとしてよい。
【数５】
0005596170.tif 000006
【００４１】
一実施形態によると、ＨＡＲＱロジック２０９は、ＡＣＫＣＨの分布を均一に最適化しつつ、以下の数式（６）を用いてＨＡＲＱタイミングを決定するとしてよい。
【数６】
0005596170.tif 000007
【００４２】
一実施形態によると、ＨＡＲＱロジック２０９は、ＡＣＫＣＨの分布を均一に最適化しつつ、且つ、ＡＣＫＣＨレイテンシを最低限に抑えつつ、以下の数式（７）を用いてＨＡＲＱタイミングを決定するとしてよい。
【数７】
0005596170.tif 000008
ＨＡＲＱロジック２０９は、レイテンシを最低限に抑えるべくパラメータ「Ｘ」をＰＲＸに等しい値に、または、ＡＣＫＣＨの均一分布を実現するべく以下の数式（８）で与えられる値に設定するとしてよい。
【数８】
0005596170.tif 000009
【００４３】
ＤＬデータバースト再送とＡＣＫＣＨとの間のタイミング関係
先頭サブフレームがサブフレーム（ｍＴＸ，ｎＴＸ）で送信されるＤＬデータバーストの場合、ＤＬデータバースト再送の先頭サブフレーム位置は、サブフレーム（ｍＲＥＴＸ，ｎＲＥＴＸ）であってよい。一実施形態によると、ＨＡＲＱロジック２０９はダウンリンクについて非同期ＨＡＲＱを用いるので、再送のタイミングは、例えば、移動ノード１５０−Ａに情報を送信している間、ＢＳ１２０等の基地局によって制御されるとしてよい。
【００４４】
一実施形態によると、ＨＡＲＱロジック２０９は、上記の数式（２）を用いて、最少Ｔｘ処理時間を実現し、且つ、送信および再送について先頭サブフレーム位置を同一にするための基準タイミングを決定するとしてよい。
【００４５】
ＴＤＤ  ＵＬ  ＨＡＲＱの場合、図５のＤＬゾーン５５５は、ＩＥＥＥ（登録商標）８０２．１６ｍ  ＤＬ  ＡＣＫＣＨ送信に用いられるサブフレームを含むとしてよい。また、ＦＤＤ  ＵＬ  ＨＡＲＱの場合、図５のＵＬゾーン５６５は、ＩＥＥＥ（登録商標）８０２．１６ｍ  ＵＬデータバースト送信に用いられるサブフレームを含むとしてよい。フレーム５０２−Ａ内の他のサブフレームは、アイドル領域と分類されるとしてよい。
【００４６】
Ａ−ＭＡＰにおけるＤＬ割り当てとＵＬデータバースト送信との間のタイミング関係
一実施形態によると、サブフレーム（ｍＡ−ＭＡＰ，ｎＡ−ＭＡＰ）におけるＵＬ割り当てＡ−ＭＡＰ  ＩＥに対応するＵＬデータバースト送信の場合、サブフレーム（ｍＴＸ，ｎＴＸ）を先頭とするとしてよい。一実施形態によると、ＨＡＲＱロジック２０９は、以下の数式（９）を用いて先頭フレームｎＴＸを決定するとしてよい。
【数９】
0005596170.tif 000010
【００４７】
［ＣＥＩＬ＜Ｎｄ／ＮＡ−ＭＡＰ＞］＞＝Ｎｕの場合、または、ＮＴＴＩが１でない場合、パラメータ「ｉ」は０であってよい。［ＣＥＩＬ＜Ｎｄ／ＮＡ−ＭＡＰ＞］＜Ｎｕの場合、または、ＮＴＴＩが１である場合、ＨＡＲＱロジック２０９は、ｉ∈｛０．.ＣＥＩＬ＜Ｎｕ／ＣＥＩＬ＜Ｎｄ／ＮＡ−ＭＡＰ＞＞−１｝と定義されている範囲でＡ−ＭＡＰを用いて「ｉ」を通知するとしてよい。
【００４８】
他の実施形態では、ＨＡＲＱロジック２０９は、以下の数式（１０）が与えるのと同じＤＬ−ＨＡＲＱのタイミングを利用するとしてよい。
【数１０】
0005596170.tif 000011
一実施形態によると、ＨＡＲＱロジック２０９は、レイテンシを最低限に抑えるべく「Ｘ」をＰＲＸと等しい値に、または、ＡＣＫＣＨの分布を均一化するべく｛Ｎｓｆ＝６の場合は２、Ｎｓｆ＞６の場合は３｝に、パラメータ「Ｘ」を設定するとしてよい。一実施形態によると、ＨＡＲＱロジック２０９は、Ａ−ＭＡＰによって、ｉ∈｛０，１，２，３｝等の値を持つ「ｉ」を通知するとしてよい。一実施形態によると、ＨＡＲＱロジック２０９は、以下の数式（１１）を用いて「ｙ」の値を決定するとしてよい。
【数１１】
0005596170.tif 000012
【００４９】
ＵＬデータバースト送信とＡＣＫＣＨとの間のタイミング関係
先頭サブフレームがサブフレーム（ｍＴＸ，ｎＴＸ）で送信されるＵＬデータバーストの場合、ＡＣＫＣＨは、サブフレーム（ｍＡＣＫ，ｎＡＣＫ）で送信されるとしてよい。（ｍＡＣＫ，ｎＡＣＫ）を算出するべく、ＨＡＲＱロジック２０９は、以下の数式（１２）、（１３）および（１４）を利用するとしてよい。
【００５０】
一実施形態によると、ＨＡＲＱロジック２０９は、ＡＣＫＣＨレイテンシを最低限に抑えつつ以下の数式（１２）を用いてＨＡＲＱタイミングを決定するとしてよい。
【数１２】
0005596170.tif 000013
【００５１】
一実施形態によると、ＨＡＲＱロジック２０９は、ＡＣＫＣＨを均一に分布させつつ、以下の数式（１３）を用いてＨＡＲＱタイミングを決定するとしてよい。
【数１３】
0005596170.tif 000014
【００５２】
一実施形態によると、ＨＡＲＱロジック２０９は、ＡＣＫＣＨのタイミングを決定しつつ、以下の数式（１４）を用いてＨＡＲＱタイミングを決定するとしてよい。
【数１４】
0005596170.tif 000015
【００５３】
ＵＬデータバースト再送とＡＣＫＣＨとの間のタイミング関係
先頭サブフレームがサブフレーム（ｍＴＸ，ｎＴＸ）で送信されるＵＬデータバーストの場合、ＵＬデータバースト再送の先頭サブフレーム位置は、サブフレーム（ｍＲＥＴＸ，ｎＲＥＴＸ）であるとしてよい。一実施形態によると、ＨＡＲＱロジック２０９が上記の数式（２）を用いて、ＵＬデータバースト再送の先頭サブフレーム位置（ｍＲＥＴＸ，ｎＲＥＴＸ）を決定するとしてよい。
【００５４】
一実施形態によると、ＨＡＲＱロジック２０９は、汎用フレーム４００または５００を用いて、交代方式でＨＡＲＱタイミングを決定するとしてもよい。一実施形態によると、ＤＬ  ＨＡＲＱは、データバースト送信がＤＬゾーン４５５または５５５で行われている間でも利用されるとしてよい。例えば、ＢＳ１２０がダウンリンクフレームＦＤＤ４００またはＴＤＤ５００を送信して、ＭＮ１５０−Ａが受信して、ＢＳ１２０がダウンリンクフレームＦＤＤ４００またはＴＤＤ５００を送信して、ＲＳ１４０がフレーム４００または５００を受信して、ＲＳ１４０がダウンリンクフレームＦＤＤ４００またはＴＤＤ５００を送信して、ＭＮ１５０−Ａがフレーム４００または５００を受信するとしてよい。一実施形態によると、偶数ホップＲＳがダウンリンクフレームＦＤＤ４００またはＴＤＤ５００を送信して、奇数ホップＲＳがフレーム４００または５００を受信して、奇数ホップＲＳがダウンリンクフレームＦＤＤ４００またはＴＤＤ５００を送信して、奇数ホップＲＳがフレーム４００または５００を受信するとしてよい。
【００５５】
一実施形態によると、ＵＬ  ＨＡＲＱは、データバースト送信がＵＬゾーン４６５または５６５で実行される場合に利用されるとしてよい。例えば、ＭＮ１５０−ＢがアップリンクフレームＦＤＤ４００またはＴＤＤ５００を送信して、ＢＳ１２０がフレーム４００または５００を受信して、ＲＳ１４０がアップリンクフレームＦＤＤ４００またはＴＤＤ５００を送信して、ＢＳ１２０がフレーム４００または５００を受信して、ＭＮ１５０−ＢがアップリンクフレームＦＤＤ４００またはＴＤＤ５００を送信して、ＲＳ１４０がフレーム４００または５００を受信するとしてよい。一実施形態によると、偶数ホップＲＳがアップリンクフレームＦＤＤ４００またはＴＤＤ５００を送信して、奇数ホップＲＳがフレーム４００または５００を受信して、奇数ホップＲＳがアップリンクフレームＦＤＤ４００またはＴＤＤ５００を送信して、奇数ホップＲＳがフレーム４００または５００を受信するとしてよい。
【００５６】
実施形態例に基づき本発明の具体的な特徴を説明してきた。しかし、上記の説明は本発明を限定するものと解釈されるべきものではない。実施形態例のさまざまな変形例、および、本発明の他の実施形態は、本発明の関連技術分野の当業者に明らかであり、本発明の意図および範囲に含まれるものとする。
【図１】
0005596170.tif 000016
【図２】
0005596170.tif 000017
【図３】
0005596170.tif 000018
【図４】
0005596170.tif 000019
【図５】
0005596170.tif 000020